(57)【要約】【課題】超節水タイプのトイレ装置を提供する。【解決手段】便器ボウル部１、及び便器ボウル部の底面からサイフォントラップ構造の排出部２、及び便器ボウル部に排出洗浄水を供給する給水部３を備えた便器部と、便器部下方に位置して排出部に連続して形成すると共に、上方に脱臭機能を備えた空気孔部４１を設けて便器部のサイフォン作用を実現することができる半密閉式の貯留室４、及び貯留室内の底面近傍に開口して、貯留室に所定以上の排出対象流動物に溜まった際に排出作用をなす排出サイフォン部５を備えた貯留部とで構成して、少ない水量で便器部からの汚物排出並びに洗浄を実施しても、下水における充分な汚物搬送能力を備えさせる。【選択図】図１
2010281059.tif 000002
【特許請求の範囲】
【請求項１】
適宜容量の便器ボウル部、及び便器ボウル部の底面からサイフォントラップ構造の排出部、及び便器ボウル部に排出洗浄水を供給する給水部を備えた便器部と、
便器部下方に位置して排出部に連続して形成すると共に、上方に脱臭機能を備えた空気孔部を設けて便器部のサイフォン作用を実現することができる半密閉式の貯留室、及び貯留室内の底面近傍に開口して、貯留室に所定以上の排出対象流動物が溜まった際に排出作用をなす排出サイフォン部を備えた貯留部と、
で構成してなることを特徴とするトイレ装置。
【請求項２】
給水部が、所定の圧力を以て噴射する便器ボウル部上部に設けた第一噴射ノズルと、便器ボウル部底部に設けた第二噴射ノズルを備え、第一噴射ノズルが便器ボウル部内両側面に添って噴射する噴射口、及びノズル下方面に添って噴射する噴射口を設け、第二噴射ノズルが排出部の上り流路に向けて噴射する噴射口を設けたものであって、第一噴射ノズルによる洗浄水の噴射作動後に第二噴射ノズルの排出水の噴射作動を行い、更に第二噴射ノズル作動終了後に再度第一噴射ノズルの再噴射がなされる制御手段を備えてなる請求項１記載のトイレ装置。
【請求項３】
貯留室の排出サイクルが、便器部の排出作動４〜５回分程度となるように貯留室容積を定めると共に、貯留室の底面形状を、排出サイフォン部の開口位置に流れ込み易い傾斜面に形成してなる請求項２記載のトイレ装置。
【請求項４】
便器部と貯留部とを一体の便器に形成してなる請求項１乃至３記載の何れかのトイレ装置。
【請求項５】
貯留室の底部における排出サイフォン部の開口部近傍に、サイフォン排出部の上り流路に向けて排出補助噴射する第三噴射ノズルを設け、貯留室の排出対象流動物の貯留量が一定以上となった後に、第二噴射ノズルの作動と対応して第三噴射ノズルを作動させる制御手段を備える請求項２乃至４記載の何れかのトイレ装置。
【発明の詳細な説明】
【技術分野】
【０００１】
本発明は、節水を目的としたトイレ装置に関するものである。
【背景技術】
【０００２】
水洗トイレでは、便器ボウル部内からの汚物排出を行う排出水及び便器ボウル部の洗浄を行う洗浄水が使用されており、通常は一回の連続吐水で汚物排出・便器洗浄を連続的に行っている。しかし水洗トイレにおける排出洗浄水の使用水量を少なくすることは水資源の有効利用の点から望まれているものであり、従前より種々の提案がなされている。
【０００３】
例えば特許文献１（特開平６−１７３３２３号公報）には、排出トラップを備えた水洗トイレ装置において、排出洗浄水のリム吐水を少なくして節水すると共に、節水のために生ずる便器からの排出能力の低下を、排出トラップ個所のサイフォン作用を補助し、便器ボウル部からの汚物水（汚物と排出洗浄水をいう）の完全排出を目的として、サイフォン部に向けてジェット吐水を行うことでカバーすることが開示されている。
【０００４】
また特許文献２（実公昭５６−１７５８８号公報）には、便器ボウル部の洗浄水の使用水量を少なくするために、便器ボウル部内に対して３方向に噴射する給水ノズルの採用が開示されている。
【０００５】
更に便器ボウル部内の汚物の排出及び便器ボウル部の洗浄に使用する水量を少なくすると、汚物の搬送能力が低下してしまい、特に下水管の横引き配管を採用した場合に問題点がより顕著となる。この対策として特許文献３（登録実用新案３１４７４７２号公報）には、汚物水を一旦溜め、所定量以上（磁気遮蔽弁に磁気吸着力以上の荷重が加わる）になると排出する装置が開示されている。
【先行技術文献】
【特許文献】
【０００６】
【特許文献１】特開平６−１７３３２３号公報。
【特許文献２】実公昭５６−１７５８８号公報。
【特許文献３】登録実用新案３１４７４７２号公報。
【発明の概要】
【発明が解決しようとする課題】
【０００７】
洗浄水及び汚物排出水を節水しようとして、特許文献１記載の構成を採用した場合には、リム吐水（洗浄水）の水量を節約すると、便器洗浄が必ずしも良好に行われるとは云えない。また特許文献２記載の噴射洗浄を実施すると便器洗浄は良好に行われるが、汚物の下水搬送能力の不足が生じてしまう。
【０００８】
特許文献３に記載されているように、汚物下水搬送能力確保の手段として、汚物水の一定量貯留は有効な手段であるが、同文献開示構造では種々の問題がある。即ち磁気遮蔽弁を採用した際に、固形物が挟まった場合の水密性を確保できなくなり、貯留汚物水のうち水分の流出が生じ、固形分が貯留室に残る虞があり、逆に搬送能力が低下してしまう。
【０００９】
そこで本発明は、汚物排出水及び洗浄水の使用水量を少なくしても、汚物の下水搬送能力を確実に確保できるトイレ装置、並びに更に汚物排出水及び洗浄水の使用水量を少なくできる新規なトイレ装置を提案したものである。
【課題を解決するための手段】
【００１０】
本発明（請求項１）に係るトイレ装置は、適宜容量の便器ボウル部、及び便器ボウル部の底面からサイフォントラップ構造の排出部、及び便器ボウル部に排出洗浄水を供給する給水部を備えた便器部と、便器部下方に位置して排出部に連続して形成すると共に、上方に脱臭機能を備えた空気孔部を設けて便器部のサイフォン作用を実現することができる半密閉式の貯留室、及び貯留室内の底面近傍に開口して、貯留室に所定以上の排出対象流動物が溜まった際に排出作用をなす排出サイフォン部を備えた貯留部とで構成してなることを特徴とするものである。
【００１１】
而して通常通りトイレを使用した後は、従前通り給水部から排出洗浄水の給水がなされ、便器ボウル部内に排泄された汚物は、排出洗浄水と共に排出部から貯留室に排出され、汚物水（排出対象流動物）として貯留室に一旦貯留される。数回のトイレ使用によって貯留室に汚物水が溜まり、貯留室が一杯になる最後の汚物排出と当時に排出サイフォン部のサイフォン作用によって貯留室内の汚物水が一挙に下水排出されることになる。
【００１２】
従って便器ボウル部からの汚物排出に必要な水量のみが給水部から供給され、下水管における汚物搬送能力に足らなくとも、トイレ使用数回分の汚物水が貯められ一挙に排出されるので、便器ボウル部における使用水量を極力抑えることができる。
【００１３】
また本発明（請求項２）に係るトイレ装置は、前記した貯留部を備えたトイレ装置において、給水部が、所定の圧力を以て噴射する便器ボウル部上部に設けた第一噴射ノズルと、便器ボウル部底部に設けた第二噴射ノズルを備え、第一噴射ノズルが便器ボウル部内両側面に添って噴射する噴射口、及びノズル下方面に添って噴射する噴射口を設け、第二噴射ノズルが排出部の上り流路に向けて噴射する噴射口を設けたものであって、第一噴射ノズルによる洗浄水の噴射作動後に第二噴射ノズルの排出水の噴射作動を行い、更に第二噴射ノズル作動終了後に再度第一噴射ノズルの再噴射がなされる制御手段を備えてなるものである。
【００１４】
従ってリム吐水に比較して、便器ボウル部の内側面の洗浄が、第一噴射ノズルからの所定の圧力（一般的な水道水の圧力を利用）で噴射される少量の水で、便器ボウル部からの汚物の剥離並びに内側面の洗浄が可能となる。更に洗浄水を少なくして便器ボウル部からの汚物水の排出が困難となったとしても、第二噴射ノズルから排出部の上り流路に向かって排出水を噴射するので、これに伴って便器ボウル部内の汚物水が貯留室に送り出されるものである。
【００１５】
そして前記排出水の噴射を終えると、第一噴射ノズルからの洗浄水の噴射で、便器ボウル部内側面を更に洗浄すると共に、この洗浄水が便器ボウル部の底面に溜まり、トラップ機能を果たし、次の使用に対する待機状態となるものである。
【００１６】
また本発明（請求項３）に係るトイレ装置は、貯留室の排出サイクルが、便器部の排出作動４〜５回分程度となるように貯留室容積を定めると共に、貯留室底面形状を、排出サイフォン部の開口位置に流れ込み易い傾斜面に形成してなるもので、トイレ一回の使用水量を１Ｌ程度（従前のリム吐水による排出洗浄水の１／４程度）にし、汚物の下水搬送に必要な４Ｌ程度の容量とすることで、汚物下水搬送能力を確保しながら貯留室をコンパクト化することができる。
【００１７】
また本発明（請求項４）に係るトイレ装置は、便器部と貯留部とを一体の便器に形成してなるもので、既存のトイレ装置に置き換えて設置することが可能となるものである。
【００１８】
また本発明（請求項５）に係るトイレ装置は、更に貯留室の底部における排出サイフォン部の開口部近傍に、サイフォン排出部の上り流路に向けて排出補助噴射する第三噴射ノズルを設け、貯留室の排出対象流動物の貯留量が一定以上となった後に、第二噴射ノズルの作動と対応して第三噴射ノズルを作動させる制御手段を備えるもので、貯留室からの汚物水の下水排出（サイフォン作用）を確実に且つスムーズに行えるようにした。
【発明の効果】
【００１９】
本発明は上記のとおりで、サイフォントラップ構造の排出構造を有する便器部に連続して、サイフォン排出機能を備えた貯留部を備えたトイレ装置で、便器部における一回の使用水量を少なくしても、下水排出能力の低下を阻止することで、一回の使用水量を減少させることができたものであり、前記の構成に組み合わせて更に便器部の給水構造として、便器ボウル部の洗浄並びに排出に、所定の圧力による排出水の噴射を採用することで、少ない水量で、便器ボウル部の洗浄並び汚物水の排出を効果的に実施することができ、貯留室を採用したダブルサイフォン構造の利点がより高められるものである。
【図面の簡単な説明】
【００２０】
【図１】本発明の実施形態の全体断面図。
【図２】同貯留排出の説明図。
【図３】同給水部の全体説明図。
【図４】同給水部のノズル構造説明図。
【図５】同給水部のノズルの噴射方向を示す説明図。
【図６】同別の実施形態の全体説明図。
【発明を実施するための形態】
【００２１】
次に本発明の実施形態について説明する。実施形態に示したトイレ装置は、便器部Ａと貯留部Ｂを一体の便器に形成したものである。
【００２２】
便器部Ａは、便器ボウル部１と、排出部２と、給水部３を備えているもので、便器ボウル部１はありふれた一般的な椀状であり、底部が排出部２と連続するように形成されているものである。
【００２３】
排出部２は、上り流路２１と下り流路２２を逆Ｕ字状の頂部流路２３で連続した公知のものである。
【００２４】
給水部３は、第一噴射ノズル３１と第二噴射ノズル３２と、前記各噴射ノズルに所定時に所定の圧力で給水する給水制御部３３を備えている。
【００２５】
第一噴射ノズル３１は、便器ボウル部１の上部に設けたもので、便器ボウル部１の内両側面に添って噴射する左右の側面噴射口３１１，３１２と、ノズル下方面に添って噴射する下方噴射口３１３を設けたものである。この前記の各噴射口３１１，３１２，３１３は、各々後述する所定の圧力を以て洗浄水ａを噴射する際に、便器ボウル部１の内側面を急流状態で流れるように、各噴射口の形状及び大きさを選択して使用する。特に、必要に応じて（便器ボウル部１の内側面形状に応じて）種々の形状の噴射口を備えたノズルを選択使用できるように、給水管３４に着脱可能な構造を採用しても良い。
【００２６】
第二噴射ノズル３２は、便器ボウル部１の底部に設置したものであって、排出部２の上り流路２１に向けて噴射する噴射口３２１を設けたものである。この噴射口３２１は、上り流路２１内の汚物水（洗浄水ａ＋汚物ｃ）ｄのサイフォン作用による排出がスムーズになされるように、頂部流路２３の上部空間が汚物水などで満たされるように、縦長形状としているものである。
【００２７】
給水制御部３３は、第一噴射ノズル３１及び第二噴射ノズル３２の噴射制御を行うものであり、原則として水道水圧力を噴射圧として使用するので、それぞれの給水管３４と水道管３５との間に、開閉弁３３１，３３２を介設し、各々の開閉動作制御を行うものである。具体的な噴射制御（動作順）は、トイレ装置の使用で説明する。
【００２８】
特に水道水圧が低いところや水圧変動が生じ易い地域においては、図３で示したようにポンプ部３６を付設しておいても良い。また前記ポンプ部３６は電動ポンプを採用しても良いし、或いは手動ポンプを備えたアキュームレーターによる加圧水発生機構を付設しても良い。
【００２９】
尚給水部３には、後述する排出補助部６の第三噴射ノズルの噴射制御手段も一緒に組み込むものである。
【００３０】
貯留部Ｂは、貯留室４と、排出サイフォン部５と、排出補助部６とを備えたものである。
【００３１】
貯留室４は、便器部Ａの下方に位置して排出部２に連続して形成されるもので、その有効容積がトイレ使用４〜５回分程度に対応する大きさとし、特に底面形状を、後述する排出サイフォン部５の開口位置に流れ込み易い傾斜面に形成してなり、上方（有効容積分より上方位置）に脱臭機能を備えた空気孔部４１を設けて、便器部Ａの排出部２のサイフォン作用が実現すると共に、貯留室４内の悪臭が外部に漏洩しないようにする。
【００３２】
排出サイフォン部５は、貯留室４内の底面近傍に開口して、貯留室４の汚物水ｄが所定量以上（有効容積以上）に達すると、サイフォン作用で下水管Ｃに放流するように設けたものである。
【００３３】
排出補助部６は、第三噴射ノズル６１と、水位センサ６２と、補助給水部６３で構成されるもので、第三噴射ノズル６１は、貯留室４の底部における排出サイフォン部５の開口部近傍に、排出サイフォン部５の上り流路５１に向けて放流水ｅを噴射するように設置したものである。
【００３４】
また水位センサ６２は、貯留室４の有効容積に近い高さに設置したものであり、補助給水部６３は、前記給水部３に接続して、給水部３の給水制御に基づいて制御されるものである。
【００３５】
次に前記トイレ装置の動作について説明する。便器部Ａにおける動作は、図５に示すように、使用前には、洗浄水ａが便器ボウル部１の底に滞留して、トラップ作用がなされており、トイレ使用後に、使用者の作動スイッチオンで、給水制御部３３の制御手順に添って開閉弁３３１，３３２の開閉動作がなされる。
【００３６】
即ちトイレ使用後に、第一噴射ノズル３１から洗浄水ａが噴射され、洗浄水ａで便器ボウル部１内の汚物ｃを便器ボウル部１の底方へ洗い流す。この洗浄水ａと汚物ｃがボウル部１の底方に流れ込むと、第二噴射ノズル３２から排出水ｂが上り流路２１に向かって噴射し、便器ボウル部１の底方に滞留する汚物水（洗浄水ａ＋汚物ｃ）ｄを排出水ｂと共に、貯留室４に送り込む。
【００３７】
便器ボウル部１の底方に滞留する汚物水ｄを排出水ｂと共に貯留室４に排出して便器ボウル部１が空になると、再度洗浄水ａを噴射して便器ボウル部１の内側面を洗浄し、この洗浄水ａが便器ボウル部１の底面に溜まり、トラップ機能を果たし、次の使用に対する待機状態となるものである（図２の２）。
【００３８】
特に前記の第一噴射ノズル３１による便器ボウル部１の洗浄は、所定以上の圧力による洗浄水ａの噴射によるため、少ない水量でも汚物ｃの洗い流しが可能となるので、従前より多用されているリム吐水に比較して、著しく使用水量を少なくすることができる。
【００３９】
前記のトイレ使用を４〜５回繰り返すと貯留室４が満杯になり、排出サイフォン部５の上がり流路５１の終端から溢れでることになるが、便器部Ａからの汚物水ｄの排出が一気になされると、排出サイフォン部５がサイフォン排出状態となり、貯留室４内の汚物水ｄは一気に下水管Ｃに放出される。
【００４０】
特に本実施形態においては排出補助部６を付設して、前記の一気放流をより確実なものとしたものである。即ち満杯水位より少し低い水位に水位センサ６２を設け、当該水位センサ６２で所定以上の水位を確認した際に、第三噴射ノズル６１を待機状態とし、待機状態時にトイレが使用され、第二噴射ノズル３２から排出水ｂの噴射直後（便器部Ａから汚物水ｄの排出）に、第三噴射ノズル６１から放流水ｅを噴射して、一気放流を実現するものである（図２の３）。
【００４１】
従ってトイレ使用時の一回の使用水量が少なくても、貯留室４でトイレ使用４〜５回分の汚物水ｄが貯められ、一挙に下水管Ｃに排出されるので、十分な汚物搬送能力を備えて下水管放流できるもので、結果的には全体のトイレ使用水量を激減させることが可能となるものである。
【００４２】
尚前記の実施形態は、便器部Ａと貯留部Ｂを一体の便器として形成した例を示したが、図６に示すように便器部を独立した便器Ａ０とし、当該便器Ａ０の設置個所の下方（例えば床下）に独立した貯留部Ｂ０を形成しても良い。この実施形態の別例で示した図６における番号表示は、一体型便器の実施形態の番号と同一の意味を有するものである。
【符号の説明】
【００４３】
Ａ    便器部
Ｂ    貯留部
Ｃ    下水管
１      便器ボウル部
２      排出部
２１    上り流路
２２    下り流路
２３    頂部流路
３      給水部
３１    第一噴射ノズル
３１１，３１２    側面噴射口
３１３    下方噴射口
３２    第二噴射ノズル
３２１    噴射口
３３    給水制御部
３３１，３３２  開閉弁
３４    給水管
３５    水道管
３６    ポンプ部
４      貯留室
４１    空気孔部
５      排出サイフォン部
５１    上り流路
６      排出補助部
６１    第三噴射ノズル
６２    水位センサ
６３    補助給水部
ａ      洗浄水
ｂ      排出水
ｃ      汚物
ｄ      汚物水
ｅ      放流水
【図１】
2010281059.tif 000003
【図２】
2010281059.tif 000004
【図３】
2010281059.tif 000005
【図４】
2010281059.tif 000006
【図５】
2010281059.tif 000007
【図６】
2010281059.tif 000008